(57)【要約】  負荷時タップ切換器１１を切り換えるための方法において、負荷時タップ切換器１１は、−１つの微調整選択器２０と、−１つの前置選択器４０と、−１つの切換開閉器６０とを有し、微調整選択器２０は、・複数の選択器固定接触子２００…２０８と、・１つの第１選択器アーム２６と、・１つの第２選択器アーム３６とを有し、複数の選択器固定接触子２００…２０８は、１つの調整変圧器１０の１つの主巻線１２に接続され得る１つの転位接触子２００と、調整変圧器１０の１つの調整巻線１３の割り当てられた１つのタップにそれぞれ接続され得る複数のタップ接触子２０１…２０８とを有し、１つの第１選択器アーム２６は、それぞれの前記選択器固定接触子に選択的に接触し得、１つの第２選択器アーム３６は、それぞれの選択器固定接触子に選択的に接触し得、１つの前置選択器４０は、第１位置から第２位置に切り換えられ得、第２位置から第１位置に切り換えられ得、調整巻線１３と前記主巻線１２とに接続され得、・１つの第１前置選択器固定接触子４０１と、・１つの第２前置選択器固定接触子４０２と、・１つの第３前置選択器固定接触子４０３とを有し、１つの第３前置選択器固定接触子４０３は、その第１位置で第１前置選択器固定接触子４０１に接続されていて、その第２位置で第２前置選択器固定接触子４０２に接続されていて、１つの切換開閉器６０は、第１位置から第２位置に切り換えられ得、第２位置から第１位置に切り換えられ得、・１つの第１端子６０１と、・１つの第２端子６０２と、・１つの切換部６０３とを有し、１つの第１端子６０１は、第１選択器アーム２６に接続されていて、１つの第２端子６０２は、第２選択器アーム３６に接続されていて、１つの切換部６０３は、その第１位置で前記第１端子６０１に接続されていて、その第２位置６０２で第２端子に接続されていて、前置選択器が切り換えられなければならないときに、・複数の選択器アームのうちの一方の選択器アームが、転位接触子に接触し、その他方の選択器アームが、いずれのタップ接触子に接触しないように、これらの選択器アームは調整されていて、・選択器の切り換えが終了する前に、切換開閉器の切り換えが開始する当該方法。
2019533305.tif 000002
【特許請求の範囲】
【請求項１】
負荷時タップ切換器（１１）を切り換えるための方法において、
前記負荷時タップ切換器（１１）は、
−１つの微調整選択器（２０）と、
−１つの前置選択器（４０）と、
−１つの切換開閉器（６０）とを有し、
前記微調整選択器（２０）は、
・複数の選択器固定接触子（２００…２０８）と、
・１つの第１選択器アーム（２６）と、
・１つの第２選択器アーム（３６）とを有し、
前記複数の選択器固定接触子（２００…２０８）は、１つの調整変圧器（１０）の１つの主巻線（１２）に接続され得る１つの転位接触子（２００）と、前記調整変圧器（１０）の１つの調整巻線（１３）の割り当てられた１つのタップにそれぞれ接続され得る複数のタップ接触子（２０１…２０８）とを有し、
前記１つの第１選択器アーム（２６）は、それぞれの前記選択器固定接触子（２００…２０８）に選択的に接触し得、
前記１つの第２選択器アーム（３６）は、それぞれの前記選択器固定接触子（２００…２０８）に選択的に接触し得、
前記１つの前置選択器（４０）は、第１位置から第２位置に切り換えられ得、第２位置から第１位置に切り換えられ得、前記調整巻線（１３）と前記主巻線（１２）とに接続され得、
・１つの第１前置選択器固定接触子（４０１）と、
・１つの第２前置選択器固定接触子（４０２）と、
・１つの第３前置選択器固定接触子（４０３）とを有し、
前記１つの第３前置選択器固定接触子（４０３）は、その第１位置で前記第１前置選択器固定接触子（４０１）に接続されていて、その第２位置で前記第２前置選択器固定接触子（４０２）に接続されていて、
前記１つの切換開閉器（６０）は、第１位置から第２位置に切り換えられ得、第２位置から第１位置に切り換えられ得、
・１つの第１端子（６０１）と、
・１つの第２端子（６０２）と、
・１つの切換部（６０３）とを有し、
前記１つの第１端子（６０１）は、前記第１選択器アーム（２６）に接続されていて、
前記１つの第２端子（６０２）は、前記第２選択器アーム（３６）に接続されていて、
前記１つの切換部（６０３）は、その第１位置で前記第１端子（６０１）に接続されていて、その第２位置（６０２）で前記第２端子に接続されていて、
前記前置選択器が切り換えられなければならないときに、
・複数の前記選択器アーム（２６，３６）のうちの一方の選択器アームが、前記転位接触子（２００）に接触し、その他方の選択器アームが、いずれのタップ接触子（２０１…２０８）に接触しないように、これらの選択器アームは調整されていて、
・前記選択器（４０）の切り換えが終了する前に、前記切換開閉器の切り換えが開始する当該方法。
【請求項２】
−前記切換開閉器（６０）の切り換えは、前記前置選択器（４０）の切り換え中に実行される請求項１に記載の方法。
【請求項３】
−前記切換開閉器（６０）の切り換えは、一回だけ実行され、
−回路電流が、前記切換開閉器（６０）の切り換え中に通電しない請求項１又は２に記載の方法。
【請求項４】
−前記前置選択器（４０）は、１つの前置選択器可動接触子（４０４）を有し、
・この前置選択器可動接触子（４０４）は、この前置選択器可動接触子（４０４）が前記第１前置選択器固定接触子（４０１）に接触する第１位置と、この前置選択器可動接触子（４０４）が前記第２前置選択器固定接触子（４０２）に接触する第２位置と、この前置選択器可動接触子（４０４）がこれらの前置選択器固定接触子（４０１，４０２）に接触しない中間位置とを取り得、
−前記前置選択器（４０）を前記第２位置から前記第１位置に切り換えるため、
・ステップａ）では、前記前置選択器可動接触子（４０４）が、その第２位置からその中間位置に移動され、
・ステップｂ）では、前記切換開閉器（６０）が切り換えられ、
・ステップｃ）では、前記前置選択器可動接触子（４０４）が、その中間位置からその第１位置に移動され、
−前記前置選択器（４０）を前記第１位置から前記第２位置に切り換えるため、
・ステップａ）では、前記前置選択器可動接触子（４０４）が、その第１位置からその中間位置に移動され、
・ステップｂ）では、前記切換開閉器（６０）が切り換えられ、
・ステップｃ）では、前記前置選択器可動接触子（４０４）が、その中間位置からその第２位置に移動され、
−前記切換開閉器（６０）は、１つの可動切換接触子（６０４）を有し、
・この可動切換接触子（６０４）は、この可動切換接触子（６０４）が前記第１端子（６０１）に接触する第１位置と、この可動切換接触子（６０４）が前記第２端子（６０２）に接触する第２位置と、この可動切換接触子（６０４）が両端子（６０１，６０２）に接触するブリッジ位置とを取り得、
−ステップｂ）では、
・前記前置選択器（４０）のその第２位置からその第１位置への切り換え時に、前記切換接触子（６０４）が、その第１位置からそのブリッジ位置に切り換えられ、その後にこのブリッジ位置からその第２位置に切り換えられ、
・前記前置選択器（４０）の反対の切り換え時に、前記切換接触子（６０４）が、その第２位置からそのブリッジ位置に切り換えられ、その後にこのブリッジ位置からその第１位置に切り換えられる請求項１〜３のいずれか１項に記載の方法。
【請求項５】
−前記切換開閉器（６０）は、
・複数の前記端子（６０１，６０２）間に接続されている１つのスイッチ（６２）と、
・前記第２端子（６０２）と前記第２選択器アーム（３２）との間に接続されている１つの抵抗器（６６）とを有し、
−前記スイッチ（６２）は、ステップｂ）中に閉じられている請求項１〜４のいずれか１項に記載の方法。
【請求項６】
調整変圧器（１０）用の負荷時タップ切換器（１１）において、
前記負荷時タップ切換器（１１）は、
−１つの微調整選択器（２０）と、
−１つの前置選択器（４０）と、
−１つの切換開閉器（６０）と、
−前記前置選択器（４０）と前記微調整選択器（２０）と前記切換開閉器（６０）とのための共通の１つの駆動軸（１７）とを有し、
前記微調整選択器（２０）は、
・複数の選択器固定接触子（２００…２０８）と、
・１つの第１選択器アーム（２６）と、
・１つの第２選択器アーム（３６）とを有し、
前記複数の選択器固定接触子（２００…２０８）は、１つの調整変圧器（１０）の１つの主巻線（１２）に接続され得る１つの転位接触子（２００）と、前記調整変圧器（１０）の１つの調整巻線（１３）の割り当てられた１つのタップにそれぞれ接続され得る複数のタップ接触子（２０１…２０８）とを有し、
前記１つの第１選択器アーム（２６）は、それぞれの前記選択器固定接触子（２００…２０８）に選択的に接触し得、
前記１つの第２選択器アーム（３６）は、それぞれの前記選択器固定接触子（２００…２０８）に選択的に接触し得、
前記１つの前置選択器（４０）は、第１位置から第２位置に切り換えられ得、第２位置から第１位置に切り換えられ得、前記調整巻線（１３）と前記主巻線（１２）とに接続され得、
・１つの第１前置選択器固定接触子（４０１）と、
・１つの第２前置選択器固定接触子（４０２）と、
・１つの第３前置選択器固定接触子（４０３）とを有し、
前記１つの第３前置選択器固定接触子（４０３）は、その第１位置で前記第１前置選択器固定接触子（４０１）に接続されていて、その第２位置で前記第２前置選択器固定接触子（４０２）に接続されていて、
前記１つの切換開閉器（６０）は、第１位置から第２位置に切り換えられ得、第２位置から第１位置に切り換えられ得、
・１つの第１端子（６０１）と、
・１つの第２端子（６０２）と、
・１つの切換部（６０３）とを有し、
前記１つの第１端子（６０１）は、前記第１選択器アーム（２６）に接続されていて、
前記１つの第２端子（６０２）は、前記第２選択器アーム（３６）に接続されていて、
前記１つの切換部（６０３）は、その第１位置で前記第１端子（６０１）に接続されていて、その第２位置（６０２）で前記第２端子に接続されていて、
−前記前置選択器（４０）、前記微調整選択器（２０）及び前記切換開閉器（６０）はそれぞれ、前記駆動軸（１７）に独立して結合されている当該負荷時タップ切換器（１１）。
【請求項７】
−前記前置選択器（４０）は、１つの前置選択器可動接触子（４０４）を有し、
・前記前置選択器可動接触子（４０４）は、この前置選択器可動接触子（４０４）が前記第１前置選択器固定接触子（４０１）に接触する第１位置と、この前置選択器可動接触子（４０４）が第２前置選択器固定接触子（４０２）に接触する第２位置と、この前置選択器可動接触子（４０４）がこれらの前置選択器固定接触子に接触しない中間位置を取り得る請求項６に記載の負荷時タップ切換器（１１）。
【請求項８】
−１つの可動切換接触子（６０４）と、
−１つのスイッチ（６２）と、
−１つの抵抗器（６６）とを有し、
前記可動切換接触子（６０４）は、この可動切換接触子（６０４）が前記第１端子（６０１）に接触する第１位置と、この可動切換接触子（６０４）が前記第２端子（６０２）に接触する第２位置と、この可動切換接触子（６０４）が両端子（６０１，６０２）に接触するブリッジ位置とを取り得、
前記スイッチ（６２）は、これらの端子（６０１，６０２）間に接続されていて、
前記抵抗器（６６）は、前記第２端子（６０２）と前記第２選択器アーム（３６）との間に接続されている請求項６〜７のいずれか１項に記載の負荷時タップ切換器（１１）。
【請求項９】
−前記前置選択器（４０）は、
・１つの第１側面（４１１）と対向している１つの第２側面（４１２）とを有する１つの前置選択器基板（４１）と、
・前記第１側面（４１１）上の１つの前置選択器駆動輪（４２）と、
・前記第１側面（４１１）上の１つの前置選択器ゼネバ歯車（４４）と、
・前記第１側面（４１１）上の１つの揺動歯車（４６）とを有し、
前記前置選択器駆動輪（４２）は、前記駆動軸（１７）上に相互回転しないように設置されていて、１つの第１前置選択器連動部材（４２１）を支持し、
前置選択器ゼネバ歯車（４４）は、前記前置選択器基板（４１）に回転可能に軸支されていて、第２前置選択器連動部材（４４１）を支持し、
前記揺動歯車（４６）は、前記前置選択器基板（４１）に旋回可能に軸支されていて、前記第２前置選択器連動部材（４４１）用の１つの開口部（４６１）を有し、
−前記駆動軸（１７）は、前記前置選択器基板（４１）を貫通して延在し、この前置選択器基板（４１）に回転可能に軸支されていて、
−複数の前記前置選択器固定接触子（４０１，４０２，４０３）及び前置選択器可動切換接触子（４０４）が、前記前置選択器基板（４１）の第２側面（４１２）上に配置されていて、
−前記揺動歯車（４６）は、前記前置選択器可動切換接触子（４０４）に相互回転しないように結合されていて、
−前記前置選択器駆動輪（４２）の完全な一回転時に、前記前置選択器ゼネバ歯車（４４）が、完全な一回転の一部だけ回転するように、第１前置選択器連動部材（４２１）は、前記前置選択器ゼネバ歯車（４４）と連動し、この一部は、１つの選択器固定接触子（２００…２０８）から隣接した１つの選択器固定接触子（２００…２０８）に向かう前記微調整選択器（２０）の切換シーケンスに相当し、
−複数の前記選択器アームのうちの１つの選択器アームが、前記複数のタップ接触子（２０１…２０８）のうちの１つのタップ接触子に接触するときに、前記第２連動部材（４４１）が、前記前置選択器ゼネバ歯車（４４）の一部だけの回転時に前記開口部（４６１）に係合しないように、この第２連動部材（４４１）は、前記揺動歯車（４６）と連動し、複数の前記選択器アームのうちの一方の選択器アームが、前記転位接触子（２００）に接触し、他方の選択器アームが、前記複数のタップ接触子（２０１…２０８）のいずれのタップ接触子に接触しないときに、前記前置選択器可動切換接触子（４０４）が切り換えられるように、前記第２連動部材（４４１）が、前記開口部（４６１）に係合する請求項６〜８のいずれか１項に記載の負荷時タップ切換器（１１）。
【請求項１０】
−前記前置選択器（４０）は、極性切換器として構成されていて、
−前記第１前置選択器固定接触子（４０１）は、前記調整巻線（１３）の第１端部に接続され得、
−前記第２前置選択器固定接触子（４０２）は、前記調整巻線（１３）の第２端部に接続され得、
−前記第３前置選択器固定接触子（４０３）は、前記主巻線（１２）に接続され得、
−前記第３前置選択器固定接触子（４０３）は、前記転位接触子（２００）に常に接続されている請求項６〜９のいずれか１項に記載の負荷時タップ切換器（１１）。
【請求項１１】
−前記前置選択器（４０）は、粗調整選択器として構成されていて、
−前記第１前置選択器固定接触子（４０１）は、前記主巻線（１２）の１つの端部に接続され得、
−前記第２前置選択器固定接触子（４０２）は、前記主巻線（１２）の１つのタップに接続され得、
−前記第３前置選択器固定接触子（４０３）は、前記調整巻線（１３）の１つの端部に接続され得、
−前記第１前置選択器固定接触子（４０１）は、前記転位接触子（２００）に常に接続されている請求項６〜１０のいずれか１項に記載の負荷時タップ切換器（１１）。
【請求項１２】
−前記前置選択器（４０）を前記駆動軸（１７）に結合する１つの第１連結機構と、
−前記微調整選択器（２０）を前記駆動軸（１７）に結合する１つの第２連結機構とを有する請求項６〜１１のいずれか１項に記載の負荷時タップ切換器（１１）において、
−これらの連結機構は、互いに独立して構成されていて、及び／又は共通の構成部材を有しない当該負荷時タップ切換器（１１）。
【請求項１３】
−１つの主巻線（１２）と、
−複数のタップ付きの１つの調整巻線（１３）と、
−請求項６〜１２のいずれか１項にしたがって構成されている負荷時タップ切換器（１１）とを有する調整変圧器（１０）において、
−前記転位接触子（２００）は、前記主巻線（１２）に接続されていて、前記複数のタップ接触子（２０１…２０８）はそれぞれ、前記調整巻線（１３）の割り当てられた１つのタップに接続されていて、
−前記前置選択器（４０）は、前記調整巻線（１３）と前記主巻線（１２）とに接続されている当該調整変圧器（１０）。
【発明の詳細な説明】
【技術分野】
【０００１】
本発明は、調整変圧器用の負荷時タップ切換器と、このような負荷時タップ切換器を有する調整変圧器と、このような負荷時タップ切換器を切り換えるための方法とに関する。
【背景技術】
【０００２】
知られているように、負荷時タップ切換器は、最も簡単な場合は、調整変圧器の調整巻線の割り当てられた１つのタップにそれぞれ接続されなければならないＮ個のタップ接触子を有する微調整選択器を含む。したがって、直線状の負荷時タップ切換器とも呼ばれるこの負荷時タップ切換は、Ｎ個の位置から成る調整領域を有し、この負荷時タップ切換器を有する調整変圧器が、Ｎ個の電圧の電圧調整範囲を有する。当該調整変圧器の電圧調整範囲を拡張するため、タップ切換器とも呼ばれる負荷時タップ切換器の微調整選択器に加えて前置選択器をこの負荷時タップ切換器に装備することが知られている。この前置選択器は、極性切換器、粗調整選択器又は多重粗調整選択器として構成され得る。極性切換器は、当該調整選択器の調整巻線を主巻線とも呼ばれる当該調整変圧器の調整されない巻線に選択的に同じ方向に又は反対の方向に接続することを可能にする。粗調整選択器又は多重粗調整選択器を使用することによって、粗調整タップ又は多重粗調整タップとも呼ばれる主巻線の一部を選択的に遮断又は接続すること、すなわち少なくとも１つの粗調整タップを当該調整巻線に選択的に接続する又は接続しないが可能である。
【０００３】
直線状の負荷時タップ切換器が、例えば、この負荷時タップ切換器のＮ個のタップ接触子を有する微調整選択器に加えて極性切換器を有するときに、当該微調整選択器は、通常は、この微調整選択器の複数のタップ接触子に加えて、主巻線に接続されなければならない１つの転位接触子を有する。したがって、この負荷時タップ切換器は、通常は、２×Ｎ＋１個の位置の位置調整範囲を有する、すなわち、極性切換器が調整巻線を主巻線に反対の方向に接続するように、当該極性切換器が調整されているＮ個の位置の下側の位置調整範囲と、極性切換器が調整巻線を主巻線に同じ方向に接続するように、当該極性切換器が調整されているＮ個の位置の上側の位置調整範囲と、転位接触子に相当し、微調整選択器が調整巻線をブリッジする１つの中心位置とを有する。このとき、この負荷時タップ切換器を有する調整変圧器が、通常は、２×Ｎ＋１個の電圧の電圧位置調整範囲を有する。
【０００４】
独国特許出願公開第１１７８５１１号明細書は、切換開閉器と極性切換器と非通電式に交互に切り換える２つのタップ選択器とを有する調整変圧器用の負荷時タップ切換器を記載している。各タップ切換器が、調整巻線に接続されている複数の固定接触子を有する。左のタップ選択器が、いずれの巻線にも接続されていなく、特に調整される巻線にも調整されない巻線にも接続されていなく、未使用タップ（Ｌｅｅｒｓｔｕｆｅ）と呼ばれる１つの固定接触子をさらに有する。この既知の負荷時タップ切換器は、調整されない巻線と切換開閉器の出力部との間に一時的な接続を引き起こす１つの切換スイッチをさらに有する。当該左のタップ選択器が、未使用タップに移行し、このときに当該極性切換器が、一方の端部位置から他方の端部位置に切り換えられ、当該他方の端部位置から当該一方の端部位置に切り換えられる期間内に、当該接続は引き起こされているように、これらのタップ選択器は、間欠歯車を介して極性切換器と切換スイッチとに接続されている。
【０００５】
さらに、独国特許出願公開第１１７８５１１号明細書は、その図２〜６においてこの既知の負荷時タップ切換器の切換工程の推移を時系列順に記載している。電圧の降圧切り換えの場合、以下の工程が実行される：極性切換器が、調整されない巻線の１つの接触子９に接続されている１つの極性切換器アームを有する。切換スイッチが、接触子９に接続されている１つの切換アームを有する。図２は、この接触子の初期位置を示す。この位置では、この極性切換器アームが、調整巻線の下端部の固定接触子７を当該調整されない巻線の接触子９に接続する。当該高圧切り換えが継続すると、複数のタップ選択器アームが、固定接触子１から固定接触子７まで移行するか又は固定接触子２から固定接触子６まで移行する。この場合、負荷の切り換えが、切換開閉器によって実行される。この場合、図３の位置に到達される。この位置では、当該左のタップ選択器アームが、接触子６に接触し、当該右のタップ選択器アームが、接触子７に接触し、当該極性切換器アームが、接触子７に接触し、当該切換アームが、左の未使用接触子０に接触する。当該切換開閉器が、当該右のタップ選択器アームと接触子７とを接続させる。さらなる切り換え時に、切換スイッチアームが、左の未使用接触子０から当該切換開閉器の出力部に接続されている中心接触子Ａに移行する。これに応じて、当該極性切換器アームが、接触子７から１つの未使用接触子０に移行する。この切り換え中に、当該左のタップ選択器アームが、接触子６から当該タップ選択器の未使用タップ８に移行する。この場合、図４の位置に到達される。引き続き、当該切換開閉器が、前もって当該左のタップ選択器アームと未使用タップ８とに切り換えられた後に、当該右のタップ選択器アームが、接触子７から接触子１に移行する。図５の位置に到達される。さらなる切り換え時に、当該極性切換器アームが、未使用接触子０から接触子１に移行し、当該切換スイッチアームが、中心接触子Ａから１つの右の未使用接触子０に移行する。当該切換開閉器が、前もって再び当該右の選択器アームと接触子１とに戻り接続された後に、当該左のタップ選択器アームが、この切り換え中に接触子８から接触子２に移行する。この場合、図６の位置に到達される。この位置では、当該極性切換器アームが、当該調整巻線の上端部の接触子１を調整されない巻線の接触子９に接続する。引き続き、当該複数のタップ選択器が、継続する切り換え時に接触子１から接触子７まで移行するか又は接触子２から接触子６まで移行する。この位置では、反対方向に切り換えられた当該調整巻線が、その最も下の位置に到達される。この場合、最小の電圧が取り出される。電圧の昇圧切り換えは、反対の順序で実行される。
【０００６】
独国特許第１９７４３８６４号明細書は、真空バルブセルを用いて遮断なしに負荷を切り換えるためのリアクトル式の切換原理にしたがう負荷時タップ切換器を記載している。ハウジング内には、それぞれの選択器可動接触子によって接続可能である複数の選択器固定接触子が、それぞれの相に対して設けられている。このハウジング内には、それぞれの前置選択器可動接触子によって接続可能である複数の前置選択器固定接触子が、それぞれの相に対して設けられている。このハウジング内には、それぞれのバイパス固定接触子によって接続可能である複数のバイパス固定接触子が、それぞれの相に対して設けられている。このハウジング内には、１つの蓄勢機構によってその都度操作可能である１つの真空バルブセルが設けられている。独立したハウジング側面部分内には、１つの駆動機構が、全ての可動接触子と全ての真空バルブセルとを対応する切換シーケンスで操作するために設けられている。この既知の負荷時タップ切換器の場合、それぞれの相ごとに分離されて、この相の全ての固定接触子及び全ての可動接触子並びに真空バルブセルが、１つの位相板上に一緒に配置されている。３つの絶縁軸が、当該ハウジングと当該３つの位相板とを貫通する。第１絶縁軸が、全ての選択器可動接触子を操作し、第２絶縁軸が、全ての前置選択器可動接触子を操作し、第３絶縁軸が、全てのバイパス可動接触子と全ての真空バルブセルを操作する。当該駆動機構が、ただ１つのゼネバ歯車を有する。このゼネバ歯車は、１つの駆動軸に結合されている１つのゼネバ駆動輪によって駆動可能であり、第１絶縁軸がそれぞれの切り換え時に１つの切り換えステップに相当する角度だけ回転可能であるように、第１絶縁軸に結合されている。当該駆動機構は、当該第２絶縁軸に作用する第１操作手段と、当該第３絶縁軸に作用する第２操作手段とを有する。当該第１操作手段は、当該ゼネバ歯車上の１つのローラと、対応する１つのレバーとから成る。当該ローラは、当該ゼネバ歯車の所定の位置で当該レバーの一部に係合し、これにより、当該第２絶縁軸が、所定の回転角度だけ旋回可能である。したがって、当該前置選択器可動接触子を操作する当該第２絶縁軸が、当該第１操作手段と当該ゼネバ歯車と当該ゼネバ駆動輪とを介して当該駆動軸に結合されている。したがって、当該選択器可動接触子を操作する当該第１絶縁軸と、当該前置選択器可動接触子を操作する当該第２絶縁軸とが、当該ゼネバ歯車と当該ゼネバ駆動輪とを介して当該駆動軸に一緒に結合されている。
【０００７】
さらに、独国特許第１９７４３８６４号明細書は、その図７において１つの相に対する１つのタップから隣接した１つのタップへの切り換え時のこの負荷時タップ切換器の通常のシーケンスを示す。左の選択器可動接触子が、左の切換インピーダンスに直列に接続されていて左の分岐部を形成し、右の選択器可動接触子が、右の切換インピーダンスに直列に接続されていて右の分岐部を形成する。真空バルブセルが、当該両分岐部間に接続されていて、負荷切換部への対応する接続が、複数のバイパス固定接触子によって構築される。図７ａによる静止切換位置の場合、両選択器可動接触子が、同じ左のタップ、すなわち同じ左の選択器固定接触子に接触している。完全な負荷の切り換え後の図７ｆによるその次の静止切換位置の場合、左の選択器可動接触子が、左の選択器固定接触子に接触していて、右の選択器可動接触子が、その隣の右の選択器固定接触子に接触している。このシーケンスは、さらなるそれぞれの負荷の切り換えごとに繰り返される。
【先行技術文献】
【特許文献】
【０００８】
【特許文献１】独国特許出願公開第１１７８５１１号明細書
【特許文献２】独国特許第１９７４３８６４号明細書
【発明の概要】
【発明が解決しようとする課題】
【０００９】
この背景に対して、本発明は、独立請求項の対象を提唱する。本発明の好適な実施の形態は、従属請求項に記載されている。
【００１０】
以下では、「Ａが、Ｂに結合されていている」の種類の表現は、「Ａが、Ｂに接続されている」の種類の表現に相当し、「Ａが、Ｂに接続されている」の種類の表現は、「Ａが、Ｂに直接に導電接続されている」の意味と、「Ａが、Ｂに間接に、すなわちＣを介して導電接続されている」の意味とを含み、「Ａが、Ｂに接合されている」の種類の表現は、「Ａが、Ｂに直接に導電接続されている」の意味を有する。
【課題を解決するための手段】
【００１１】
第１の観点によれば、本発明は、負荷時タップ切換器を切り換えるための方法を提唱する。この場合、当該負荷時タップ切換器は、
−１つの微調整選択器と、
−１つの前置選択器と、
−１つの切換開閉器とを有し、
当該微調整選択器は、
・複数の選択器固定接触子と、
・１つの第１選択器アームと、
・１つの第２選択器アームとを有し、
当該複数の選択器固定接触子は、１つの調整変圧器の１つの主巻線に接続され得る１つの転位接触子と、当該調整変圧器の１つの調整巻線の割り当てられた１つのタップにそれぞれ接続され得る複数のタップ接触子とを有し、
当該１つの第１選択器アームは、それぞれの当該選択器固定接触子に選択的に接触し得、
当該１つの第２選択器アームは、それぞれの当該選択器固定接触子に選択的に接触し得、
当該１つの前置選択器は、第１位置から第２位置に切り換えられ得、第２位置から第１位置に切り換えられ得、当該調整巻線と当該主巻線とに接続され得、
・１つの第１前置選択器固定接触子と、
・１つの第２前置選択器固定接触子と、
・１つの第３前置選択器固定接触子とを有し、
当該１つの第３前置選択器固定接触子は、その第１位置で当該第１前置選択器固定接触子に接続されていて、その第２位置で当該第２前置選択器固定接触子に接続されていて、
当該１つの切換開閉器は、第１位置から第２位置に切り換えられ得、第２位置から第１位置に切り換えられ得、
・１つの第１端子と、
・１つの第２端子と、
・１つの切換部とを有し、
当該１つの第１端子は、当該第１選択器アームに接続されていて、
当該１つの第２端子は、当該第２選択器アームに接続されていて、
当該１つの切換部は、その第１位置で当該第１端子に接続されていて、その第２位置で当該第２端子に接続されていて、
当該前置選択器が切り換えられなければならないときに、
・複数の当該選択器アームのうちの一方の選択器アームが、当該転位接触子に接触し、その他方の選択器アームが、いずれのタップ接触子に接触しないように、これらの選択器アームは調整されていて、
・当該選択器の切り換えが終了する前に、当該切換開閉器の切り換えが開始する。
【００１２】
ここでは、当該切換開閉器のこの切り換えは、当該前置選択器が切り換えられなければならないか又は切り換えられる必要があるときに実行される切り換えを意味する。当該前置選択器の切り換えとは違って、当該切換開閉器の「通常の」切り換えは、負荷時の切り換えとも呼ばれる負荷の下での切り換えとみなすことができる。この負荷の切り換えの場合、複数の選択器アームが、異なる選択器固定接触子に接触し、したがって異なる電位にあり、当該調整巻線から当該切換部まで敷設されている電流経路が、遮断なしに当該一方の選択器アームから当該他方の選択器アームに入れ代わる。この入れ代わりは、遮断なしに実行されなければならないので、通常は少なくともの短期間だけ、両選択器アームが、当該切換部に接続されている。その結果、当該両選択器アームで発生する異なる電位に起因して、回路電流が、当該両選択器アームと当該切換開閉器と当該調整巻線とに通電する。
【００１３】
したがって、提唱されている方法によれば、複数の選択器アームのうちの一方の選択器アームが、当該転位接触子に接触し、他方の選択器アームが、いずれの当該タップ接触子に接触しないように、これらの選択器アームが、当該切換開閉器と当該前置選択器とのこれらの切り換え中に調整されている。これらの切り換え中に、例えば、これらの選択器アームのうちの一方の選択器アームが、当該転位接触子に接触し、他方の選択器アームが、当該転位接触子と当該複数のタップ接触子のうちの１つのタップ接触子との間の中間位置に存在し得るが、両選択器アームが、当該転位接触子に接触してもよい。さらに、当該一方の選択器アームが、当該転位接触子に接触し、当該他方の選択器アームが、いずれの当該タップ接触子に接触しないという上記の条件が満たされている限り、これらの選択器アームは、これらの切り換え中に、例えばこれらの選択器アームのそれぞれの位置を変更してもよい。
【００１４】
知られているように、当該負荷時タップ切換器が、この負荷時タップ切換器に接続された制御装置から、実際に調整された開始位置から目的位置へのタップの切り換えを実行する切換命令を受け取るときで、且つａ）当該開始位置が、複数の位置調整範囲のうちの一方の位置調整範囲、例えば下若しくは上の位置調整範囲に属し、当該目標位置が、当該複数の位置調整範囲のうちの他方の位置調整範囲、例えば下若しくは上の位置調整範囲に属するときか、又はｂ）当該開始値が、中心位置であり、当該目的位置が、当該複数の位置調整範囲のうちの１つの位置調整範囲に属するか、又はｃ）当該目的位置が、中心位置であり、当該開始位置が、当該複数の位置調整範囲のうちの１つの位置調整範囲に属するときに、当該前置選択器が、切り換えられなければならないか又は切り換えられる必要がある。
【００１５】
この方法は、前置選択器と切換開閉器とが少なくとも所定の期間に対して同時に操作されることを可能にする。これにより、当該前置選択器の操作するための追加の時間の労力及び制御の労力が節減される。その結果、タップを切り換えるために必要な負荷時タップ切換器の切換工程が、著しく簡略化され加速される。しかし、この方法は、当該前置選択器の切り換えが開始する前に、当該切換開閉器の切り換えが終了すること、すなわち切換開閉器と前置選択器とが、前後して操作されることも可能にする。
【００１６】
当該負荷時タップ切換器は、必要に応じて任意の方法で、例えば第２の側面にしたがって構成され得る。
【００１７】
特に、
−当該切換開閉器の切り換えは、当該前置選択器の切り換え中に実行され、及び／又は
−当該切換開閉器の切り換えは、一回だけ実行され、及び／又は
−当該前置選択器の第１位置から第２位置への切り換え中に、当該切換開閉器が、その第２位置からその第１位置に切り換えられ、当該前置選択器の第２位置から第１位置への切り換え中に、当該切換開閉器が、その第１位置からその第２位置に切り換えられることが特定されている。
【００１８】
特に、
−回路電流が、当該切換開閉器の切り換え中に通電しないことが特定されている。
【００１９】
これは、例えば、当該複数の選択器アームのうちの一方の選択器アームが、当該転位接触子に接触し、当該複数の選択器アームのうちの他方の選択器アームが、いずれの当該タップ接触子に接触しないことによって達成され得る。
【００２０】
特に、
−当該前置選択器（４０）は、１つの前置選択器可動接触子（４０４）を有し、
・この前置選択器可動接触子（４０４）は、この前置選択器可動接触子（４０４）が当該第１前置選択器固定接触子（４０１）に接触する第１位置と、この前置選択器可動接触子（４０４）が当該第２前置選択器固定接触子（４０２）に接触する第２位置と、この前置選択器可動接触子（４０４）がこれらの前置選択器固定接触子（４０１，４０２）に接触しない中間位置とを取り得、
−当該前置選択器（４０）を当該第２位置から当該第１位置に切り換えるため、
・ステップａ）では、当該前置選択器可動接触子（４０４）が、その第２位置からその中間位置に移動され、
・ステップｂ）では、当該切換開閉器（６０）が切り換えられ、
・ステップｃ）では、当該前置選択器可動接触子（４０４）が、その中間位置からその第１位置に移動され、
また、これとは反対の切り換えが実行されることが特定されている。
【００２１】
したがって、
−当該前置選択器を反対に、すなわちその第１位置からその第２位置に切り換えるため、
・ステップａ′）では、当該前置選択器可動接触子が、その第１位置からその中間位置に移動され、
・ステップｂ′）では、当該切換開閉器が切り換えられ、
・ステップｃ′）では、当該前置選択器可動接触子が、その中間位置からその第２位置に移動される。
【００２２】
当該前置選択器可動接触子は、必要に応じて任意の方法で、例えば接触フィンガとしてハウジング内に構成され得る。
【００２３】
ステップａ）は、例えばステップｂ）の開始の前に又は同時に又は後に開始され得る。ステップｃ）は、例えばステップｂ）の開始と同時に若しくは後に及び／又はステップｂ）の終了の前に若しくは同時に若しくは後に終了され得る。
【００２４】
ステップａ′）は、例えばステップｂ′）の前に若しくは同時に開始され得る。ステップｃ′）は、例えばステップｂ′）と同時に若しくは後に及び／又はステップｂ′）の前に若しくは同時に若しくは後に終了され得る。
【００２５】
特に、
−当該切換開閉器は、１つの可動切換接触子を有し、
・この可動切換接触子は、この可動切換接触子が当該第１端子に接触する第１位置と、この可動切換接触子が当該第２端子に接触する第２位置と、この可動切換接触子が両端子に接触するブリッジ位置とを取り得、
−ステップｂ）では、当該切換接触子が、その第１位置からそのブリッジ位置に切り換えられ、その後にこのブリッジ位置からその第２位置に切り換えられ、
・ステップｂ′）では、当該切換接触子が、その第２位置からそのブリッジ位置に切り換えられ、その後にこのブリッジ位置からその第１位置に切り換えられることが特定されている。
【００２６】
当該切換接触子は、必要に応じて任意の方法で、例えば、可動中心接触子が回転される回転スイッチの当該可動中心接触子のように、又は可動中心接触子が引かれるか又は押されるプルスイッチの当該可動中心接触子のように構成され得る。
【００２７】
特に、
−当該切換開閉器は、
・複数の当該端子間に接続されている１つのスイッチと、
・当該第２端子と当該第２選択器アームとの間に接続されている１つの抵抗器とを有し、
−当該スイッチは、ステップｂ）中とステップｂ′）中とに閉じられていることが特定されている。
【００２８】
当該スイッチは、必要に応じて任意の方法で、例えば半導体スイッチ又は真空バルブとして構成され得る。
【００２９】
当該切換開閉器は、必要に応じて任意の方法で構成され得、例えばスイッチを有しないか若しくは追加の少なくとも１つのスイッチを有してもよく及び／又は抵抗器を有しないか若しくは追加の少なくとも１つの抵抗器を有してもよい。
【００３０】
本発明は、第２の観点にしたがって調整変圧器用の負荷時タップ切換器を提唱する。当該負荷時タップ切換器は、
−１つの微調整選択器と、
−１つの前置選択器と、
−１つの切換開閉器と、
−前記前置選択器（４０）と前記微調整選択器（２０）と前記切換開閉器（６０）とのための共通の１つの駆動軸（１７）とを有し、
当該微調整選択器は、
・複数の選択器固定接触子と、
・１つの第１選択器アームと、
・１つの第２選択器アームとを有し、
当該複数の選択器固定接触子は、１つの調整変圧器の１つの主巻線に接続され得る１つの転位接触子と、当該調整変圧器の１つの調整巻線の割り当てられた１つのタップにそれぞれ接続され得る複数のタップ接触子とを有し、
当該１つの第１選択器アームは、それぞれの当該選択器固定接触子に選択的に接触し得、
当該１つの第２選択器アームは、それぞれの当該選択器固定接触子に選択的に接触し得、
当該１つの前置選択器は、第１位置から第２位置に切り換えられ得、第２位置から第１位置に切り換えられ得、当該調整巻線と当該主巻線とに接続され得、
・１つの第１前置選択器固定接触子と、
・１つの第２前置選択器固定接触子と、
・１つの第３前置選択器固定接触子とを有し、
当該１つの第３前置選択器固定接触子は、その第１位置で当該第１前置選択器固定接触子に接続されていて、その第２位置で当該第２前置選択器固定接触子に接続されていて、
当該１つの切換開閉器は、第１位置から第２位置に切り換えられ得、第２位置から第１位置に切り換えられ得、
・１つの第１端子と、
・１つの第２端子と、
・１つの切換部とを有し、
当該１つの第１端子は、当該第１選択器アームに接続されていて、
当該１つの第２端子は、当該第２選択器アームに接続されていて、
当該１つの切換部は、その第１位置で当該第１端子に接続されていて、その第２位置で当該第２端子に接続されていて、
−当該前置選択器、当該微調整選択器及び当該切換開閉器はそれぞれ、当該駆動軸に独立して結合されている。
【００３１】
当該独立した結合は、簡単でロバストな構成と、負荷時タップ切換器の柔軟で容易な適合と、負荷時タップ切換器の著しく簡略化され加速した切換工程と、エラーのない機能とを可能にする。
【００３２】
特に、
−当該前置選択器は、１つの前置選択器可動接触子を有し、
・当該前置選択器可動接触子は、この前置選択器可動接触子が当該第１前置選択器固定接触子に接触する第１位置と、この前置選択器可動接触子が第２前置選択器固定接触子に接触する第２位置と、この前置選択器可動接触子がこれらの前置選択器固定接触子に接触しない中間位置を取り得ることが特定されている。
【００３３】
特に、当該切換開閉器は、
−１つの可動切換接触子を有し、当該可動切換接触子は、この可動切換接触子が当該第１端子に接触する第１位置と、この可動切換接触子が当該第２端子に接触する第２位置と、この可動切換接触子が両端子に接触するブリッジ位置とを取り得る。
【００３４】
特に、当該切換開閉器は、
−これらの端子間に接続されている１つのスイッチと、
−当該第２端子と当該第２選択器アームとの間に接続されている１つの抵抗器とを有する。
【００３５】
特に、
−当該前置選択器は、
・１つの第１側面と対向している１つの第２側面とを有する１つの前置選択器基板と、
・当該第１側面上の１つの前置選択器駆動輪と、
・当該第１側面上の１つの前置選択器ゼネバ歯車と、
・当該第１側面上の１つの揺動歯車とを有し、
当該前置選択器駆動輪は、当該駆動軸上に相互回転しないように設置されていて、１つの第１前置選択器連動部材を支持し、
前置選択器ゼネバ歯車は、当該前置選択器基板に回転可能に軸支されていて、第２前置選択器連動部材を支持し、
当該揺動歯車は、当該前置選択器基板に旋回可能に軸支されていて、当該第２前置選択器連動部材用の１つの開口部を有し、
−当該駆動軸は、当該前置選択器基板を貫通して延在し、この前置選択器基板に回転可能に軸支されていて、
−複数の当該前置選択器固定接触子及び前置選択器可動切換接触子が、当該前置選択器基板の第２側面上に配置されていて、
−当該揺動歯車は、当該前置選択器可動切換接触子に相互回転しないように結合されていて、
−当該前置選択器駆動輪の完全な一回転時に、当該前置選択器ゼネバ歯車が、完全な一回転の一部だけ回転するように、第１前置選択器連動部材は、当該前置選択器ゼネバ歯車と連動し、この一部は、１つの選択器固定接触子から隣接した１つの選択器固定接触子に向かう当該微調整選択器の切換シーケンスに相当し、
−複数の当該選択器アームのうちの１つの選択器アームが、当該複数のタップ接触子のうちの１つのタップ接触子に接触するときに、当該第２連動部材が、当該前置選択器ゼネバ歯車の一部だけの回転時に当該開口部に係合しないように、この第２連動部材は、当該揺動歯車と連動し、複数の当該選択器アームのうちの一方の選択器アームが、当該転位接触子に接触し、他方の選択器アームが、当該複数のタップ接触子のいずれのタップ接触子に接触しないときに、当該前置選択器可動切換接触子が切り換えられるように、当該第２連動部材が、当該開口部に係合することが特定されている。
【００３６】
特に、
−当該前置選択器固定接触子は、当該第１側面から当該前置選択器基板を貫通して当該第２側面まで敷設されていることが特定されている。
【００３７】
知られているように、当該前置選択器は、当該調整巻線を当該主巻線に任意に接続するために使用され、必要に応じて任意の方法で、例えば極性切換器又は粗調整選択器又は多重粗調整選択器として構成され得る。
【００３８】
特に、
−当該前置選択器は、極性切換器として構成されていて、
−当該第１前置選択器固定接触子は、当該調整巻線の第１端部に接続され得るか又はされなければならず、
−当該第２前置選択器固定接触子は、当該調整巻線の第２端部に接続され得か又はされなければならず、
−当該第３前置選択器固定接触子は、当該主巻線に接続され得るか又はされなければならないことが特定されている。
【００３９】
特にこの場合には、
−当該第３前置選択器固定接触子は、当該転位接触子に常に接続されていることが特定されている。
【００４０】
特に、
−当該前置選択器は、粗調整選択器として構成されていて、
−当該第１前置選択器固定接触子は、当該主巻線の１つの端部に接続され得か又はされなければならず、
−当該第２前置選択器固定接触子は、当該主巻線の１つのタップに接続され得か又はされなければならず、
−当該第３前置選択器固定接触子は、当該調整巻線の１つの端部に接続され得か又はされなければならないことが特定されている。
【００４１】
特にこの場合には、
−当該第１前置選択器固定接触子は、当該転位接触子に常に接続されていることが特定されている。
【００４２】
特に、
−当該前置選択器を当該駆動軸に結合する１つの第１連結機構と、
−当該微調整選択器を当該駆動軸に結合する１つの第２連結機構とを有し、
−これらの連結機構は、互いに独立して構成されていて、及び／又は共通の構成部材を有しないことが特定されている。
【００４３】
特に、当該負荷時タップ切換器は、
−当該切換開閉器を当該駆動軸に結合する１つの第３連結機構を有し、
−当該第３連結機構及び当該第１連結機構及び／又は当該第２連結機構は、互いに独立して構成されていて、及び／又は共通の構成部材を有しない。
【００４４】
当該第１連結機構は、必要に応じて任意の方法で構成され得る、例えば、当該前置選択器駆動輪、当該前置選択器ゼネバ歯車及び当該揺動歯車を有する。
【００４５】
第３の観点によれば、本発明は、
−１つの主巻線と、
−複数のタップ付きの１つの調整巻線と、
−当該第２の観点にしたがって構成されている１つの負荷時タップ切換器とを有する調整変圧器を提唱する。
【００４６】
この場合、
−当該転位接触子は、当該主巻線に接続されていて、当該複数のタップ接触子はそれぞれ、当該調整巻線の割り当てられた１つのタップに接続されていて、
−当該前置選択器は、当該調整巻線と当該主巻線とに接続されている。
【００４７】
例えば、提唱されている複数の方法のうちのいずれか１つの方法が、提唱されているそれぞれの負荷時タップ切換器と、提唱されているそれぞれの調整選択器とによって実行され得る。
【００４８】
例えば、当該提唱されている各切換開閉器と、当該提唱されている各調整選択器とが、当該提唱されている方法のうちのいずれか１つの方法を実行し得るために、当該提唱されている各切換開閉器と、当該提唱されている各調整選択器とは構成され得るか及び／又は使用され得るか及び／又は適し得る。
【００４９】
したがって、本発明の当該複数の側面のうちの１つの側面に対する説明、特にこの側面の個々の特徴に対する説明は、本発明の別の側面に対しても同様に成立する。
【００５０】
以下に、本発明の実施の形態を添付図面に基づいて詳しく例示する。しかしながら、当該添付図面に起因する特徴は、当該個々の実施の形態に限定されないで、上記の個々の特徴及び／又は別の実施の形態の個々の特徴と結合されてもよく及び／又は組み合わされてもよい。当該図面中の詳細は、例示にすぎず、限定して解釈してはならない。特許請求の範囲に含まれている符号は、本発明の保護範囲を決して限定するものではなくて、当該図面に示された実施の形態を示すだけである。
【図面の簡単な説明】
【００５１】
【図１】微調整選択器と前置選択器と切換開閉器とを有する負荷時タップ切換器の好適な実施の形態の概略側面図である。
【図２】図１の負荷時タップ切換器用の微調整選択器の好適な実施の形態の第１側面を示す。
【図３】ゼネバ歯車を取り外してある図２の微調整選択器の第１側面を示す。
【図４】微調整選択器の第２側面を示す。
【図５】ゼネバ歯車の一部を切り抜いてある図１の負荷時タップ切換器用の前置選択器の好適な実施の形態の第１側面を示す。
【図６】前置選択器の第２側面を示す。
【図７】図１の負荷時タップ切換器用の切換開閉器の好適な実施の形態の第１側面を示す。
【図８】切換開閉器の第２側面を示す。
【図９】図１の負荷時タップ切換器を有する調整変圧器の第１の実施の形態の回路図である。この場合、当該負荷時タップ切換器は、初期位置に存在する。
【図９ａ】図９の調整変圧器内の負荷時タップ切換器のタップ切り換えの切換シーケンスの第１の実施の形態の個々の回路図である。
【図９ｂ】図９の調整変圧器内の負荷時タップ切換器のタップ切り換えの切換シーケンスの第１の実施の形態の個々の回路図である。
【図９ｃ】図９の調整変圧器内の負荷時タップ切換器のタップ切り換えの切換シーケンスの第１の実施の形態の個々の回路図である。
【図９ｄ】図９の調整変圧器内の負荷時タップ切換器のタップ切り換えの切換シーケンスの第１の実施の形態の個々の回路図である。
【図９ｅ】図９の調整変圧器内の負荷時タップ切換器のタップ切り換えの切換シーケンスの第１の実施の形態の個々の回路図である。
【図９ｆ】図９の調整変圧器内の負荷時タップ切換器のタップ切り換えの切換シーケンスの第１の実施の形態の個々の回路図である。
【図９ｇ】図９の調整変圧器内の負荷時タップ切換器のタップ切り換えの切換シーケンスの第１の実施の形態の個々の回路図である。
【図９ｈ】図９の調整変圧器内の負荷時タップ切換器のタップ切り換えの切換シーケンスの第１の実施の形態の個々の回路図である。
【図１０】図９〜図９ｈの切換シーケンスのタイミングチャートである。
【図１１】上記切換シーケンスの第２の実施の形態のタイムチャートである。
【図１２】上記切換シーケンスの第３の実施の形態のタイムチャートである。
【図１３】調整変圧器の第２の実施の形態の回路図である。
【発明を実施するための形態】
【００５２】
図１には、負荷時タップ切換器１１の好適な実施の形態が概略的に示されている。この実施の形態の場合、負荷時タップ切換器１１は、抵抗原理にしたがって構成されていて、３つの微調整選択器２０と３つの前置選択器４０と３つの切換開閉器６０とを有する。各微調整選択器２０と各前置選択器４０と各切換開閉器６０とが、１つの調整変圧器１０（図９）の所定の１つの相に割り当てられている。したがって、負荷時タップ切換器１１の単相のバリエーションが専ら、１つの微調整選択器２０と１つの前置選択器４０と１つの切換開閉器６０とを有する。各微調整選択器２０は、１つの微調整選択器基板２１上に取り付けられていて、各前置選択器４０は、１つの前置増幅器基板４１上に取り付けられていて、各切換開閉器６０は、１つの切換開閉器基板６１上に取り付けられている。当該個々の基板２１，４１，６１は、好ましくは、例えば合成樹脂又は繊維強化合成樹脂（例えば、ガラス繊維を含むポリアミド又はポリフタラミドから成る混合物）のような絶縁材料から成る。これらの基板２１，４１，６１は、少なくとも１つのロッド１６に対して個別に押圧されていて、当該ロッド１６によって保持される。これらの基板２１，４１，６１の当該固定は、別の方法で、例えばスペーサ、射出成形されたウェブ又は別の板によって実行されてもよい。共通の１つの駆動軸１７が、全ての微調整選択器２０、前置選択器４０及び切換開閉器６０を駆動させる。この実施の形態の場合、この駆動軸１７は、これらの基板２１，４１，６１にわたって延在する。この駆動軸１７は、特にベベルギヤ１８を介して電動機１９によって駆動されるものの、中間接続されたギヤなしに電動機１９によって直接に駆動されてもよい。
【００５３】
図２、図３及び図４には、複数の微調整選択器２０のうちの、好適な実施の形態にしたがって構成されている１つの微調整選択器２０が示されている。微調整選択器基板２１が、１つの第１側面２１１と、対向している第２側面２１２とを有する。図２及び３は、９つの選択器固定接触子２００…２０８（図３）が第１選択器ゼネバ歯車２４の後に配置されている第１側面を示す。これらの９つの選択器固定接触子２００…２０８のうちの５つの選択器固定接触子が、５つの導線２２に接続されている。これらの５つの選択器固定接触子は、これらの５つの導線２２を介して調整変圧器１０の１つの調整巻線１１の割り当てられた複数のタップに接続され得る。当該選択器固定接触子２００…２０８は、第１側面２１１から微調整選択器基板２１を貫通して第２側面２１２まで延在する。当該選択器固定接触子２００…２０８は、特に銅から成り、さらに銀メッキされている。第１選択器ゼネバ歯車２４が、微調整選択器基板２１に面しているこの第１選択器ゼネバ歯車２４の後面に半径方向に可動に支承された第１選択器アーム２６を支持し、軸２３を中心にして回転可能に第１軸受軸２５上に支承されている。この軸受軸２５は、微調整選択器基板２１に機械式に結合されている独立した部材として形成されている。しかしながら、この軸受軸２５は、微調整選択器基板２１の製造時に一緒に射出成形され、この微調整選択器基板２１と一体に形成されてもよい。駆動軸１７によって駆動される第１選択器駆動輪２７が、第１選択器ゼネバ歯車２４に並んで配置されている。この場合、第１選択器駆動輪２７は、第１選択器ゼネバ歯車２４に係合し、このときにこの第１選択器ゼネバ歯車２４を回転させる第１選択器連動部材２８を有する。
【００５４】
微調整選択器２０の操作時に、第１選択器駆動輪２７が、３６０°だけ回転される。第１選択器ゼネバ歯車２４との連動時に、第１選択器駆動輪２７の当該完全な回転によって、この第１選択器ゼネバ歯車２４は、専ら単位区間ごとに、すなわち完全な一回転の一部だけ回転される。第１選択器駆動輪２７と第１選択器ゼネバ歯車２４とからの組み合わせによって、第１選択器駆動輪２７の連続する回転運動が、第１選択器ゼネバ歯車２４のステップごと又は単位区間ごとの回転に変換される。ゼネバ歯車と駆動輪とから成る組み合わせが、停止状態でも、すなわち微調整選択器２０の操作の前又は後に、両部材の相互の係止機能を可能にする。
【００５５】
図４は、微調整選択器基板２１の第２側面２１２を示す。第１側面２１１と同様に、第２選択器アーム３６（図示せず）を有する第２選択器ゼネバ歯車３４が、第２側面２１２上に取り付けられている。この第２選択器ゼネバ歯車３４は、同様に軸２３を中心にして回転可能に第２軸受軸３５上に支承されている。第２選択器駆動輪３７が、第２選択器ゼネバ歯車３４に並んで配置されていて、第１選択器駆動輪２７と同じ駆動軸１７によって操作される。この場合、第２選択器駆動輪３７は、第２選択器ゼネバ歯車３４に係合し、このときにこの第２選択器ゼネバ歯車３４を回転させる第２選択器連動部材３８を有する。第１選択器ゼネバ歯車３４及び第２選択器アーム３６と同様に、第２選択器ゼネバ歯車３４、すなわち第２選択器アーム３６が、第２選択器駆動輪３７を介して駆動軸１７によってステップごとに駆動される。
【００５６】
９つの選択器固定接触子２００…２０８（図示せず）が、第１側面２１１と同様に第２選択器ゼネバ歯車３４の後に配置されている。第１側面２１１上で４つの導線に接続されていない残りの４つの選択器固定接触子２００…２０８が、４つの別の導線２２に接続されている。当該残りの４つの選択器固定接触子２００…２０８は、当該４つの別の導線２２を介して調整巻線１１の割り当てられたタップに接続され得る。
【００５７】
図５及び図６には、複数の選択器４０のうちの、好適な実施の形態にしたがって構成されている１つの選択器４０が示されている。前置選択器基板４１が、第１側面４１１と、対向している第２側面４１２とを有する。図５は、第１側面４１１を示す。第１軸４３を中心にして回転可能に第１軸受軸４５上に支承されている前置選択器ゼネバ歯車４４が、この第１側面４１１上に取り付けられている。第１軸受軸４５は、前置選択器基板４１に機械式に結合されている独立した部材として形成されている。しかしながら、この第１軸受軸４５は、前置選択器基板４１の製造時に一緒に射出成形され、この前置選択器基板４１と一体に形成されてもよい。駆動軸１７上に相互回転しないように設置されている前置選択器駆動輪４２が、前置選択器ゼネバ歯車４４に並んで配置されている。この第１前置選択器駆動輪４２は、前置選択器ゼネバ歯車４４に係合でき、このときにこの前置選択器ゼネバ歯車４４をステップごとに回転させる第１前置選択器連動部材４２１を有する。さらに、第２軸４７を中心にして第２軸受軸４８上で揺動可能に支承されている揺動歯車４６が、第１側面４１１上に取り付けられている。第２軸受軸４８は、同様に前置選択器基板４１に機械式に結合されている独立した部材として形成されている。しかしながら、この第２軸受軸４８は、前置選択器基板４１の製造時に一緒に射出成形され、この前置選択器基板４１と一体に形成されてもよい。揺動歯車４６は、この前置選択器基板４１に面している前置選択器ゼネバ歯車４４の後面から突出している第２前置選択器連動部材４４１と連動する開口部４６１を有する。
【００５８】
図６は、前置選択器基板４１の第２側面４１２を示す。前置選択器４０の第１、第２及び第３前置選択器固定接触子４０１，４０２，４０３が、第２側面４１２上に配置されている。第１及び第２前置選択器固定接触子４０１，４０２が、第１側面４１１から前置選択器基板４１を貫通して第２側面４１２まで敷設され、複数の導線４９に接続されている。当該第１及び第２前置選択器固定接触子４０１，４０２は、これらの導線４９を介して調整巻線１３の端部に接続され得る。第３前置選択器固定接触子４０３が、第１側面４１１から前置選択器基板４１を貫通して第２側面４１２まで敷設されている１つの導線４９を介して調整変圧器１０の主巻線１２に接続され得る。当該前置選択器固定接触子４０１…４０３は、特に銅から成り、さらに銀メッキされている。さらに、第２側面４１２は、接触子ハウジング５０内に弾性に支承されている前置選択器可動接触子４０４を有する。揺動歯車４６の旋回運動が、前置選択器可動接触子４０４に伝達されるように、当該接触子ハウジング５０が、軸受軸４８に固定結合されている。この前置選択器可動接触子４０４は、その第１位置で第１前置選択器固定接触子４０１に接触し、その第２位置で第２前置選択器固定接触子４０２に接触し、その中間位置でこれらの両接触子に接触しない。
【００５９】
前置選択器４０を操作するため、前置選択器駆動輪４２が、駆動軸１７によって３６０°だけ回転される。この場合、第１前置選択器連動部材４２１が、前置選択器駆動輪４２のそれぞれの完全な回転ごとに前置選択器ゼネバ歯車４４に係合し、この前置選択器ゼネバ歯車４４を完全な一回転の一部だけ移動させる。この一部は、１つの選択器固定接触子２００…２０８から隣接した１つの選択器固定接触子２００…２０８までの微調整選択器２０の切換工程に相当する。この切換工程の場合、第２前置選択器連動部材４４１は、この第２前置選択器連動部材４４１が開口部４６１に係合する位置にまだ達していないので、揺動歯車４６が接触状態にない。２つの選択器アーム２６，３６のうちの一方の選択器アームが、転位接触子２００に接触し、２つの選択器アーム２６，３６のうちの他方の選択器アームが、いずれのタップ接触子２０１…２０８に接触しないときに初めて、第２前置選択器連動部材４４１が、開口部４６１に係合し、揺動歯車４６が旋回する。第２軸受軸４８も、揺動歯車４６の旋回運動によって旋回され、したがって前置選択器可動接触子４０４を有する接触ハウジング５０が旋回される。これにより、前置選択器可動接触子４０４が、切換方向に応じてその第１位置からその第２位置に切り換えられるか又はその第２位置からその第１位置に切り換えられる。
【００６０】
どのようにして、この前置選択器４０が調整巻線１３と主巻線１２とに接続されるのかに応じて、この前置選択器４０は、選択的に極性切換器又は粗調整選択器として使用され得る。
【００６１】
図７及び８には、複数の切換開閉器６０のうちの、好適な実施の形態にしたがって構成されている１つの切換開閉器６０が示されている。切換開閉器基板６１が、特に、例えば合成樹脂又は繊維強化合成樹脂（例えば、ガラス繊維を含むポリアミド又はポリフタラミドから成る混合物）のような絶縁材料から成り、第１側面６１１と、対向している第２側面６１２とを有する。図７は、第１側面６１１を示す。この実施の形態では真空バルブとして構成されているスイッチ６２が、この第１側面６１１上でホルダ６３によって切換開閉器基板６１に固定されている。真空バルブ６２は、固定接触子６２１と可動接触子６２２とを有する。真空バルブ６２は、この可動接触子６２１によって開かれ又は閉じられる。さらに、カム板６４が、第１側面６１１上で駆動軸１７に相互回転しないように取り付けられている。揺動レバー６５の端部６５１が、カム板６４の回転時にこのカム板６４の輪郭６４１をなぞることによって、真空バルブ６２を操作する、すなわちこの真空バルブ６２の可動接触子６２２を閉じるか又は開くように、揺動レバー６５が、カム板６４と可動接触子６２２との間に回転可能に軸支されている。可動接触子６２２は、その操作時にホルダ内で可動される。
【００６２】
図８は、切換開閉器基板６１の第２側面６１２を示す。抵抗器６６が、第２側面６１２上に配置されている。さらに、第１側面６１１上のカム板６４に対応する第１歯車６７が、第２側面６１２上に回転可能に軸支されている。ここで示された例では、駆動軸１７が、カム板６４と切換開閉器基板６１と第１歯車６７とを貫通していて、カム板６４と第１歯車６７とを駆動させる。さらに、第１歯車６７に係合する第２歯車６９と連結棒７０とからの組み合わせによって駆動される切換要素６８が、第２側面６１２上に取り付けられている。この切換要素６８は、駆動軸１７を操作することによって歯車６７，６９と連結棒７０を介して操作される。すなわち、ここでは、駆動軸１７の回転運動が、切換要素６８の線形運動に変換される。この切換要素６８は、例示的にブリッジスイッチとして構成されているが、例えば回転スイッチとして構成されてもよい。
【００６３】
個々の部材、特に真空バルブ６２、抵抗器６６及び切換要素６８の配置は、要求に応じて切換開閉器基板６１の第１及び／又は第２側面６１１，６１２に分配され得る。真空バルブ６２及び切換要素６８の操作も、必要に応じて任意に、例えば歯車及び／又はゼネバ歯車及び／又は連結棒によって実行され得る。
【００６４】
この実施の形態の場合、切換開閉器１１は、前置選択器４０を駆動軸７０に連結する第１連結機構と、微調整選択器２０を駆動軸１７に連結する第２連結機構と、切換開閉器６０を駆動軸１７に連結する第３連結機構とを有する。当該第１連結機構は、前置選択器駆動輪４２、前置選択器ゼネバ歯車４４及び揺動歯車４６を有する。当該第２連結機構は、選択器駆動輪２７，３７及び選択器ゼネバ歯車２４，３４を有する。当該第３連結機構は、カム板６４、揺動レバー６５、歯車６７，６９及び連結棒７０を有する。したがって、これらの３つの連結機構は、互いに独立して構成されていて、共通の構成部材を有しない。
【００６５】
図９には、図１の負荷時タップ切換器１１並びに主巻線１２及び複数のタップを有する調整巻線１３を備える三相調整変圧器１０の第１の実施の形態の１つの相の回路図である。転位接触子２００が、主巻線１２の１つの端部に接続されていて、複数のタップ接触子２０１…２０８がそれぞれ、調整巻線１３の割り当てられた１つのタップに接続されている。
【００６６】
この実施の形態の場合、前置選択器４０が、極性切換器として使用されていて、調整巻線１３を主巻線１２に選択的に同じ方向又は反対の方向に接続するために使用される。第１前置選択器固定接触子４０１が、調整巻線１３の第１端部に接続されていて、第２前置選択器固定接触子４０２が、調整巻線１３の第２端部に接続されていて、第３前置選択器固定接触子４０３が、主巻線１２の１つの端部に接続されていて、且つ転位接触子２００に常に接続されている。
【００６７】
この実施の形態の場合、切換開閉器６０は、スイッチ６２及び抵抗器６６に加えて、第１端子６０１と、第２端子６０２と、負荷時タップ切換器１１と調整変圧器１０との切換部６０３に接続されている可動切換接触子６０４とを有する。この切換接触子６０４は、ブリッジスイッチとして構成されていて、第１位置で第１端子６０１に接触し、第２位置で第２端子６０２に接触し、ブリッジ位置で両端子６０１，６０２に接触する。この場合、この切換接触子６０４は、その第１位置で切換部６０３を第１端子６０１に接続し、その第２位置で切換部６０３を第２端子６０２に接続し、そのブリッジ位置で両端子６０１，６０２を切換部６０３に接続する。第１端子６０１は、主分岐部１４を介して第１選択器アーム２６に接続されている。第２端子６０２は、補助分岐部１５を介して第２選択器アーム３６に接続されている。この場合、抵抗器６６が、第２端子６０２と補助分岐部１５との間に直列に接続されている。スイッチ６２が、端子６０１と端子６０２との間に接続されている。
【００６８】
図９及び図９ａ〜ｈには、負荷時タップ切換器１１のタップ切換の切換シーケンスの第１の実施の形態が示されている。負荷時タップ切換器１１は、このタップ切換えによって、例えば転位接触子２００から第８タップ接触子２０８に切り換わる。当該切り換えは、負荷時タップ切換器１１の位置９から位置８への切り換えとも呼ばれる。位置９では、選択器アーム２６，３６が、転位接触子２００に接触し、前置選択器４０が、その第１位置に存在する。位置８では、選択器アーム２６，３６が、第８タップ接触子２０８に接触し、前置選択器４０が、その第２位置に存在する。したがって、このタップ切り換えの場合、前置選択器４０が操作される必要がある。
【００６９】
この切換シーケンスに対する初期位置が、図９に示されている。この初期位置では、負荷時タップ切換器１１が、位置９に存在し、切換開閉器６０が、第１位置に存在し、スイッチ６２が閉じられている。
【００７０】
ステップａでは、前置選択器可動切換接触子４０４が、第２選択器固定接触子４０２から分離され、したがってその中間位置に移行される。このとき、負荷時タップ切換器１１が、図９ａの位置に存在する。
【００７１】
ステップｂでは、切換開閉器６０が切り換えられる。この場合、最初に、切換接触子６０４が、図９ｂ１によるブリッジ位置に移動され、その後にさらに図９ｂ２による第２位置に移動される。その後に、スイッチ６２が開かれる。これにより、切換開閉器６０の第１の切り換えが終了する一方で、回路電流は通電されていない。前置選択器可動接触子４０４が、まだ第１前置選択器固定接触子４０１に向かう途中の中間位置にある。このとき、負荷時タップ切換器１１は、図９ｂ３の位置に存在する。
【００７２】
ステップｃでは、前置選択器可動接触子４０４が、第１前置選択器固定接触子４０１に接触され、したがって第２位置に移行される。これにより、前置選択器４０の切り換えが終了する。このとき、負荷時タップ切換器１１は、図９ｃの位置に存在する。
【００７３】
次いで、タップを位置８に切り換えるために必要な切り換えステップが続く。
【００７４】
ステップｄでは、第１選択器アーム２６が、転位接触子２００から分離され、第８タップ接触子２０８に接触される。負荷時タップ切換器１１は、図９ｄの位置に存在する。
【００７５】
ステップｅでは、スイッチ６２が閉じられる。その結果、補助分岐部１５が、スイッチ６２を介して主分岐部１４に接続されていて、回路電流Ｉｃが、負荷時タップ切換器１１と調整巻線１３とに通電する。このとき、負荷時タップ切換器１１は、図９ｅの位置に存在する。
【００７６】
ステップｆでは、最初に、切換接触子６０４が、図９ｆ１によるブリッジ位置に新たに移動され、その後に図９ｆ２による第１位置にさらに移動される。その結果、スイッチ６２が再び開かれる。これにより、補助分岐部１５と主分岐部１４とが分離され、回路電流Ｉｃが消滅する。これにより、切換開閉器６０の、負荷の切り換えを示す「通常の」第２の切り換えが終了する。このとき、負荷時タップ切換器１１は、図３ｆ３の位置に存在する。
【００７７】
ステップｇでは、第２選択器アーム３６が、転位接触子２００から分離され、第８タップ接触子２０８に接触される。このとき、負荷時タップ切換器１１は、図９ｇの位置に存在する。
【００７８】
ステップｈでは、スイッチ６２が閉じられる。これにより、タップ接触子２０１への負の切り換えが終了し、位置９から位置８へのタップ切り換えも終了する。このとき、負荷時タップ切換器１１は、図９ｈの最終位置に存在する。
【００７９】
例えば、反対方向への、すなわち位置８から位置９へのタップ切り換えが実行されなければならない場合は、図９〜図９ｈに記載されている切換シーケンスが、正反対の順序で実行される。
【００８０】
図１０は、図９〜図９ｈの切換シーケンスのタイムチャートである。上から下に向かって配置された複数の行は、スイッチ６２の位置と、切換接触子６０４の位置と、選択器アーム２６の位置と、第２選択器アーム３６の位置と、前置選択器可動接触子４０４の位置とを、位置８から位置９への又は反対方向の完全なタップ切り換えの時間推移で示す。垂直な破線は、前置選択器４０の切り換えが最も遅く終了されなければならない又は最も早く開始されなければならない時点を示す、すなわち複数の選択器アーム２６，３６のうちの一方の選択器アームが転位接触子２００に接触し、他方の選択器アームがタップ接触子２０８にもはや接触しないか又はまだ接触していないときを示す。
【００８１】
図９〜ｈに記載されている切換シーケンスの第１の実施の形態に対して、右から左に向かうタイムチャートを読み取ることができる。前置選択器可動接触子４０４が、ステップａにしたがってその第２位置からその中間位置に移動され、切換接触子６０４が、部分ステップｂ１及びｂ２にしたがって第１位置からブリッジ位置に移動され、そこから第２位置に移動され、その後にスイッチ６２が、部分ステップｂ３にしたがって開かれ、前置選択器可動接触子４０４が、ステップｃにしたがってその中間位置からその第１位置に移動されることが、このタイムチャートに基づいて認識可能である。左から右に向かうタイムチャートを想定する場合、このシーケンスは、正反対に実行される。
【００８２】
図１１には、切換シーケンスの第２の実施の形態のタイムチャートが示されている。この実施の形態は、図１１の第１の実施の形態に類似するので、以下では特に相違点を詳しく説明する。この実施の形態の場合、第１の実施の形態の場合と同様に、前置選択器可動接触子４０４が、ステップａにしたがってその中間位置に移動され、切換接触子６０４が、その第１位置からそのブリッジ位置に移動される。しかしながら、第１の実施の形態の場合と違って、前置選択器可動接触子４０４が、ステップｃにしたがってその中間位置からその第１位置に移動され、同時に切換接触子６０４が、部分ステップｂ２にしたがってそのブリッジ位置からその第２位置に移動され、その後にスイッチ６２が、部分ステップｂ３にしたがって開かれる。したがって、この実施の形態の場合は、前置選択器４０の切り換えが、切換開閉器６０の切り換えの前に終了される。切換シーケンスの第１の実施の形態に対する相違点として、スイッチ６２が、前置選択器可動接触子４０４の前に反対方向に操作される。
【００８３】
図１２には、切換シーケンスの第３の実施の形態のタイムチャートが示されている。この実施の形態は、図１１の第１の実施の形態に類似するので、以下では特に相違点を詳しく説明する。この実施の形態の場合、両方向への切換シーケンスを想定したときに、切換開閉器６０の切り換えと前置選択器４０の切り換えとが、同時に開始され同時に終了される。
【００８４】
図１３には、調整変圧器１０の第２の実施の形態の１つの相の回路図が示されている。この実施の形態は、図９の第１の実施の形態に類似するので、以下では特に相違点を詳しく説明する。この実施の形態の場合、主巻線１２が、主巻線１２の粗調整ステップの上端部を形成するタップ１２１を有する。主巻線１２の下端部が、粗調整ステップの下端部を示す。
【００８５】
この実施の形態の場合、前置選択器４０が、粗調整選択器として使用され、粗調整ステップを調整巻線１３に選択的に接続するか又は接続しないために使用される。第１前置選択器固定接触子４０１が、主巻線１２の下端部に接続されていて、転位接触子２００に常に接続されている。第２前置選択器固定接触子４０２が、主巻線１２のタップ１２１に接続されている。第３前置選択器固定接触子４０３が、調整巻線１３の１つの端部に接続されている。
【符号の説明】
【００８６】
１０        調整変圧器
１１        負荷時タップ切換器
１２        １０の主巻線
１        １２の主巻線のタップ
１３        １０の調整巻線
１４        １１の主分岐部
１５        １１の補助分岐部
１６        ロッド
１７        １１の駆動軸
１８        ベベルギヤ
１９        電動機
２０        １１の微調整選択器
２００        ２０の転位接触子
２０１…２０８        ２０のタップ接触子
２００…２０８        ２０の選択器固定接触子
２１        微調整選択器基板
２１１／２１２        ２１の第１／第２側面
２２        導線
２３        軸
２４        第１選択器ゼネバ歯車
２５        第１軸受軸
２６        第１選択器アーム
２７        第１選択器駆動輪
２８        第１選択器連動部材
２９        端子
３４        第２選択器ゼネバ歯車
３５        第２軸受軸
３６        第２選択器アーム
３７        第２選択器駆動輪
３８        第２選択器連動部材
３９        端子
４０        １１の前置選択器
４０１／４０２／４０３        ４０の第１／第２／第３前置選択器固定接触子
４０４        ４０の前置選択器可動接触子
４１        前置選択器基板
４１１／４１２        ４１の第１／第２側面
４２        前置選択器駆動輪
４２１        第１前置選択器連動部材
４３        第１軸
４４          前置選択器ゼネバ歯車
４４１        第２前置選択器連動部材
４５          第１軸受軸
４６          揺動歯車
４６１        ４６の開口部
４７        第２軸
４８        第２軸受軸
４９        導線
５０        接触子ハウジング
６０        １１の切換開閉器
６０１／６０２        ６０の第１／第２端子
６０３        ６０の切換部
６０４        ６０の可動切換接触子
６１        切換開閉器基板
６１１／６１２        ６１の第１／第２側面
６２        スイッチ
６２１／６２２        ６２の固定接触子／可動接触子
６３        ホルダ
６４        カム板
６４１        ６４の輪郭
６５        揺動レバー
６５１        ６５の端部
６６        抵抗器
６７        第１歯車
６８        切換要素
６９        第２歯車
７０        連結棒
【図１】
2019533305.tif 000003
【図２】
2019533305.tif 000004
【図３】
2019533305.tif 000005
【図４】
2019533305.tif 000006
【図５】
2019533305.tif 000007
【図６】
2019533305.tif 000008
【図７】
2019533305.tif 000009
【図８】
2019533305.tif 000010
【図９】
2019533305.tif 000011
【図９ａ】
2019533305.tif 000012
【図９ｂ１】
2019533305.tif 000013
【図９ｂ２】
2019533305.tif 000014
【図９ｂ３】
2019533305.tif 000015
【図９ｃ】
2019533305.tif 000016
【図９ｄ】
2019533305.tif 000017
【図９ｅ】
2019533305.tif 000018
【図９ｆ１】
2019533305.tif 000019
【図９ｆ２】
2019533305.tif 000020
【図９ｆ３】
2019533305.tif 000021
【図９ｇ】
2019533305.tif 000022
【図９ｈ】
2019533305.tif 000023
【図１０】
2019533305.tif 000024
【図１１】
2019533305.tif 000025
【図１２】
2019533305.tif 000026
【図１３】
2019533305.tif 000027
【国際調査報告】
2019533305.tif 000028
2019533305.tif 000029
2019533305.tif 000030
2019533305.tif 000031